(57)【要約】【課題】送信電流をコントロール可能であり、検出感度も十分に高くできる電磁誘導式検出装置を提供する。【解決手段】検出面３に指示される共振回路２を有する指示具１を検出する電磁誘導式検出装置は、センサ部１０と、電圧源２０と、スイッチ部３０と、検出部４０とからなる。センサ部１０は、検出面３に配置されるループコイル１１と該ループコイルに並列に接続されるコンデンサ１２とからなる並列共振回路を具備する。電圧源２０は、センサ部１０の並列共振回路を駆動する。スイッチ部３０は、指示具１の共振回路２の共振周波数で電圧源２０の駆動をオンオフ制御する。検出部４０は、センサ部１０の並列共振回路のループコイル１１からの誘導起電力を受信し、受信信号を基に指示具１を検出する。【選択図】図１
2013246811.tif 000002
【特許請求の範囲】
【請求項１】
検出面に指示される共振回路を有する指示具を検出する電磁誘導式検出装置であって、該電磁誘導式検出装置は、
検出面に配置されるループコイルと該ループコイルに並列に接続されるコンデンサとからなる並列共振回路を具備するセンサ部と、
前記センサ部の並列共振回路を駆動する電圧源と、
指示具の共振回路の共振周波数で電圧源の駆動をオンオフ制御するスイッチ部と、
前記センサ部の並列共振回路のループコイルからの誘導起電力を受信し、受信信号を基に指示具を検出する検出部と、
を具備することを特徴とする電磁誘導式検出装置。
【請求項２】
請求項１に記載の電磁誘導式検出装置において、前記センサ部は、検出面に平行に配置される複数のループコイルを具備し、
さらに、所定のタイミングで複数のループコイルを順次切り替え可能なループコイルスイッチ部を具備し、
前記検出部は、ループコイルスイッチ部の切り替えタイミングと受信信号を基に、指示具の１次元指示位置を検出する、
ことを特徴とする電磁誘導式検出装置。
【請求項３】
請求項１に記載の電磁誘導式検出装置において、前記センサ部は、検出面のＸ軸方向に平行に配置される複数のループコイルと、これらに直交するようにＹ軸方向に平行に配置される複数のループコイルとを具備し、
さらに、所定のタイミングで複数のループコイルを順次切り替え可能なループコイルスイッチ部を具備し、
前記検出部は、ループコイルスイッチ部の切り替えタイミングと受信信号を基に、指示具の２次元指示位置を検出する、
ことを特徴とする電磁誘導式検出装置。
【請求項４】
請求項１に記載の電磁誘導式検出装置において、前記センサ部は、検出面のＸ軸方向に平行に配置される複数のループコイルと、これらに直交するようにＹ軸方向に平行に配置される複数のループコイルと、これらに直交するようにＺ軸方向に平行に配置される複数のループコイルとを具備し、
さらに、所定のタイミングで複数のループコイルを順次切り替え可能なループコイルスイッチ部を具備し、
前記検出部は、ループコイルスイッチ部の切り替えタイミングと受信信号を基に、指示具の３次元指示位置を検出する、
ことを特徴とする電磁誘導式検出装置。
【請求項５】
請求項１乃至請求項４の何れかに記載の電磁誘導式検出装置において、前記スイッチ部は、オープンドレイン、オープンコレクタ、又はオープンソースの何れかで構成されることを特徴とする電磁誘導式検出装置。
【請求項６】
請求項２乃至請求項５の何れかに記載の電磁誘導式検出装置において、前記ループコイルスイッチ部は、オープンドレイン、オープンコレクタ、又はオープンソースの何れかで構成されることを特徴とする電磁誘導式検出装置。
【請求項７】
請求項１乃至請求項６の何れかに記載の電磁誘導式検出装置において、前記検出部は、センサ部の並列共振回路のループコイルとコンデンサとの間に接続されることを特徴とする電磁誘導式検出装置。
【請求項８】
請求項１乃至請求項７の何れかに記載の電磁誘導式検出装置であって、さらに、検出部で検出される信号の大きさに応じて、スイッチ部のオンオフ制御のオン時間を調整するフィードバック感度調整部を具備することを特徴とする電磁誘導式検出装置。
【発明の詳細な説明】
【技術分野】
【０００１】
本発明は電磁誘導式検出装置に関し、特に、検出面に指示される共振回路を有する指示具を検出する電磁誘導式検出装置に関する。
【背景技術】
【０００２】
複数の検出用のループコイルを検出面に配置し、共振回路を有する指示具との間での電磁誘導を利用して指示具を検出する電磁誘導式検出装置は一般的に知られている。複数のループコイルがＸ方向及びＹ方向に複数平行に配置されており、これらのループコイルを順次切り替えながら、誘導電圧を検出することで指示具の指示位置座標を検出するのが一般的である。例えば、特許文献１には、複数のループコイルをマルチプレクサにより切り替える電磁誘導式検出装置が開示されている。
【０００３】
また、特許文献２には、検出用のループコイルに直列に共振コンデンサを設けた例が開示されている。この例も、複数のループコイルをマルチプレクサにより切り替える方式であり、ループコイルと共振コンデンサの間にマルチプレクサが挿入されている。
【先行技術文献】
【特許文献】
【０００４】
【特許文献１】特開昭６３−７０３２６号公報
【特許文献２】特開２００４−１７８５３７号公報
【発明の概要】
【発明が解決しようとする課題】
【０００５】
このような電磁誘導式検出装置では、マルチプレクサを用いるため、マルチプレクサのオン抵抗によるエネルギ損失が存在する。マルチプレクサのスイッチを構成する回路はアナログスイッチであり、そのオン抵抗は一般的には９０Ωから２００Ω程度あり、受信信号レベルの低下の要因となるため、指示具の検出感度を高くできないという問題があった。また、低抵抗化されたアナログスイッチも存在するが、コスト面等で課題があった。
【０００６】
また、特にループコイルを駆動する場合、駆動回路の電流供給能力に対して、ループコイルの選択回路のインピーダンスが追加の損失となる。そのため、ループコイルへの電流供給能力を維持しながら低電力化することも難しかった。
【０００７】
また、特許文献２のような共振コンデンサを設けた構成であっても、マルチプレクサがループコイルと共振コンデンサの間に挿入されるため、送信電流を大きくできず、やはり指示具の検出感度を高くできないという問題があった。
【０００８】
ループコイルに供給する送信電流は検出感度に大きく影響を及ぼすが、従来技術では、上述のように種々の制約があり、検出感度を十分に高くできなかった。
【０００９】
本発明は、斯かる実情に鑑み、送信電流をコントロール可能であり、検出感度も十分に高くできる電磁誘導式検出装置を提供しようとするものである。
【課題を解決するための手段】
【００１０】
上述した本発明の目的を達成するために、本発明の電磁誘導式検出装置は、検出面に配置されるループコイルと該ループコイルに並列に接続されるコンデンサとからなる並列共振回路を具備するセンサ部と、センサ部の並列共振回路を駆動する電圧源と、指示具の共振回路の共振周波数で電圧源の駆動をオンオフ制御するスイッチ部と、センサ部の並列共振回路のループコイルからの誘導起電力を受信し、受信信号を基に指示具を検出する検出部と、を具備するものである。
【００１１】
ここで、センサ部は、検出面に平行に配置される複数のループコイルを具備し、さらに、所定のタイミングで複数のループコイルを順次切り替え可能なループコイルスイッチ部を具備し、検出部は、ループコイルスイッチ部の切り替えタイミングと受信信号を基に、指示具の１次元指示位置を検出するものであっても良い。
【００１２】
また、センサ部は、検出面のＸ軸方向に平行に配置される複数のループコイルと、これらに直交するようにＹ軸方向に平行に配置される複数のループコイルとを具備し、さらに、所定のタイミングで複数のループコイルを順次切り替え可能なループコイルスイッチ部を具備し、検出部は、ループコイルスイッチ部の切り替えタイミングと受信信号を基に、指示具の２次元指示位置を検出するものであっても良い。
【００１３】
さらに、センサ部は、検出面のＸ軸方向に平行に配置される複数のループコイルと、これらに直交するようにＹ軸方向に平行に配置される複数のループコイルと、これらに直交するようにＺ軸方向に平行に配置される複数のループコイルとを具備し、さらに、所定のタイミングで複数のループコイルを順次切り替え可能なループコイルスイッチ部を具備し、検出部は、ループコイルスイッチ部の切り替えタイミングと受信信号を基に、指示具の３次元指示位置を検出するものであっても良い。
【００１４】
また、スイッチ部は、オープンドレイン、オープンコレクタ、又はオープンソースの何れかで構成されても良い。
【００１５】
また、ループコイルスイッチ部は、オープンドレイン、オープンコレクタ、又はオープンソースの何れかで構成されても良い。
【００１６】
また、検出部は、センサ部の並列共振回路のループコイルとコンデンサとの間に接続されれば良い。
【００１７】
さらに、検出部で検出される信号の大きさに応じて、スイッチ部のオンオフ制御のオン時間を調整するフィードバック感度調整部を具備するものであっても良い。
【発明の効果】
【００１８】
本発明の電磁誘導式検出装置には、送信電流をコントロール可能であり、検出感度も十分に高くできるという利点がある。
【図面の簡単な説明】
【００１９】
【図１】図１は、本発明の第１実施例の電磁誘導式検出装置を説明するための概略構成図である。
【図２】図２は、本発明の第２実施例の電磁誘導式検出装置を説明するための概略構成図である。
【図３】図３は、本発明の第３実施例の電磁誘導式検出装置を説明するための概略構成図である。
【図４】図４は、本発明の第３実施例の電磁誘導式検出装置の各制御信号と受信信号のタイミングチャートである。
【図５】図５は、本発明の第３実施例の電磁誘導式検出装置の他の構成について説明するための概略構成図である。
【図６】図６は、本発明の第３実施例の電磁誘導式検出装置の他の構成の各制御信号と受信信号のタイミングチャートである。
【図７】図７は、本発明の第４実施例の電磁誘導式検出装置を説明するための概略構成図である。
【発明を実施するための形態】
【００２０】
以下、本発明を実施するための形態を図示例と共に説明する。図１は、本発明の第１実施例の電磁誘導式検出装置を説明するための概略構成図である。電磁誘導式検出装置は、指示具１を検出するものである。指示具１はコンデンサとコイルからなる共振回路２を有するものである。そして、第１実施例では、指示具１が検出面３に置かれたことを検出するものである。図示の通り、本発明の電磁誘導式検出装置は、センサ部１０と、電圧源２０と、スイッチ部３０と、検出部４０とで主に構成されている。
【００２１】
センサ部１０は、ループコイル１１とコンデンサ１２とからなる並列共振回路を具備するものである。ループコイル１１は、検出面３に配置されるものである。ループコイル１１に誘導起電圧が発生可能な範囲が検出面３となる。図示例では、ループコイル１１は２重巻き構成のものを示したが、本発明はこれに限定されず、１重巻きであっても良いし、より多く巻かれるものであっても良い。そして、ループコイル１１には、コンデンサ１２が並列に接続されている。これにより、ループコイル１１とコンデンサ１２が、並列共振回路を構成している。
【００２２】
電圧源２０は、センサ部１０の並列共振回路を駆動するものである。電圧源２０は、後述のスイッチ部３０を組み合わせることで、所定周波数で任意のパルス幅のクロックパルス信号を発生するものである。
【００２３】
スイッチ部３０は、指示具１の共振回路２の共振周波数で電圧源２０の駆動をオンオフ制御するものである。この際のパルス幅は、送信電流が飽和しない範囲で決定されれば良い。即ち、本発明の電磁誘導式検出装置の構成では、電圧源２０からループコイル１１を通ってグラウンドに導通することになるため、大量の電流が流れ得る。したがって、パルス幅が長く電流が飽和状態となる前に、短いパルス幅でループコイル１１を駆動すれば良い。スイッチ部３０は、例えば半導体スイッチ回路により構成されれば良い。具体的には、ＭＯＳＦＥＴ（Ｍｅｔａｌ−Ｏｘｉｄｅ−Ｓｅｍｉｃｏｎｄｕｃｔｏｒ  Ｆｉｅｌｄ−Ｅｆｆｅｃｔ  Ｔｒａｎｓｉｓｔｏｒ）やＩＧＢＴ（Ｉｎｓｕｌａｔｅｄ  Ｇａｔｅ  Ｂｉｐｏｌａｒ  Ｔｒａｎｓｉｓｔｏｒ）等が利用可能である。スイッチ部３０は、例えばこれらのトランジスタを図示例のようにオープンドレインで用いれば良い。スイッチ部３０の制御信号ＴＰとして、指示具１の共振回路２の共振周波数で所定のパルス幅の制御信号を用いれば、これに応じてループコイル１１を所望の通り駆動可能となる。これにより、電圧源２０から見た負荷が低インピーダンスとなるため、送信電流の損失を減らすことが可能となる。また、スイッチ部３０は、オープンコレクタやオープンソースで構成されても良い。
【００２４】
検出部４０は、センサ部１０の並列共振回路のループコイル１１からの誘導起電力を受信し、受信信号を基に指示具１を検出するものである。ループコイル１１に発生する誘導起電力を検出部４０において受信することで、指示具１の有無が検出できる。検出部４０は、図示例ではセンサ部１０の並列共振回路のループコイル１１とコンデンサ１２との間に接続されている。図示例では、ループコイル１１とコンデンサ１２の間で且つ電圧源２０側（スイッチ部３０側）に検出部４０が接続されているが、本発明はこれに限定されず、グラウンド側に接続されていても良い。
【００２５】
以下、本発明の電磁誘導式検出装置の検出動作について説明する。まず、スイッチ部３０により電圧源２０の駆動を、指示具１の共振回路２の共振周波数でオンオフ制御する。これにより、ループコイル１１が送信ループコイルとして駆動され、オンオフ制御の駆動周波数に対応した磁界を発生する。スイッチ部３０のオン時間であるパルス幅は、ループコイル１１の送信電流が飽和状態となる前にオフとなる程度に設定されれば良い。そして、この状態で指示具１が検出面３に置かれると、指示具１の共振回路２のコイルが励振され、電圧源２０のスイッチ部３０によるオンオフ制御の駆動周波数に同期した誘導電圧が発生する。スイッチ部３０による電圧源２０の駆動がオフの際には、ループコイル１１は受信ループコイルとして機能する。このとき、ループコイル１１から発生していた磁界は直ちに消滅するが、指示具１の共振回路２に発生していた誘導電圧は、徐々に減衰する。この指示具１の共振回路２に発生した誘導電圧により、逆に今度はループコイル１１が励振され、ループコイル１１に誘導電圧が発生する。この誘導電圧を検出部４０にて受信することで、指示具１の有無を検出可能となる。即ち、受信信号が検出されれば、指示具１が存在していることになる。
【００２６】
本発明の第１実施例の電磁誘導式検出装置のよれば、上述のように、大量の送信電流を流すことが可能となるため、高感度に指示具の検出が可能となり、例えば検出面からの検出高を高くすることが可能となる。
【００２７】
次に、本発明の第２実施例の電磁誘導式検出装置を説明する。図２は、本発明の第２実施例の電磁誘導式検出装置を説明するための概略構成図である。図中、図１と同一の符号を付した部分は同一物を表わしているため、詳説は省略する。第１実施例では、指示具の有無を検出可能な構成を示したが、第２実施例は、指示具の１次元指示位置を検出可能な構成である。図示の通り、第２実施例の電磁誘導式検出装置は、センサ部１０が、複数のループコイル１１を具備するものである。複数のループコイル１１は、検出面に平行に配置される。より具体的には、複数のループコイル１１は、１次元方向に例えば等間隔に並べられる。
【００２８】
そして、これら複数のループコイル１１を所定のタイミングで順次切り替え可能なループコイルスイッチ部１３を有している。ループコイルスイッチ部１３は、例えば半導体スイッチ回路により構成されれば良い。具体的には、ＭＯＳＦＥＴ（Ｍｅｔａｌ−Ｏｘｉｄｅ−Ｓｅｍｉｃｏｎｄｕｃｔｏｒ  Ｆｉｅｌｄ−Ｅｆｆｅｃｔ  Ｔｒａｎｓｉｓｔｏｒ）やＩＧＢＴ（Ｉｎｓｕｌａｔｅｄ  Ｇａｔｅ  Ｂｉｐｏｌａｒ  Ｔｒａｎｓｉｓｔｏｒ）等が利用可能である。ループコイルスイッチ部１３は、これらのトランジスタをオープンコレクタで用いれば良い。そして、ループコイルスイッチ部１３の制御信号ＳＥＬにより、各ループコイル１１を選択するように制御すれば良い。また、ループコイルスイッチ部１３は、オープンドレインやオープンソースで構成されても良い。このような構成により、ループコイルスイッチ部が、センサ部を構成する並列共振回路に対して影響を及ぼすことが無くなる。
【００２９】
検出部４０は、ループコイルスイッチ部１３の切り替えタイミングとループコイル１１からの受信信号を基に、指示具１の１次元指示位置を検出する。即ち、あるループコイル１１がオンになったタイミングでその位置に指示具１が存在すると、指示具１の共振回路２のコイルが励振される。そして、そのループコイル１１がオフになった際には、指示具１の共振回路２に発生した誘導電圧によりそのループコイル１１が励振されて誘導電圧が発生することになる。したがって、このループコイル１１からの受信信号をモニタしておけば、ループコイル１１から誘導電圧が発生すればそのループコイル１１が配置されている位置に指示具１が存在することを検出することが可能となる。よって、ループコイル１１は１次元方向に並べられているので、指示具１の１次元位置が検出可能となる。
【００３０】
次に、本発明の第３実施例の電磁誘導式検出装置を説明する。図３は、本発明の第３実施例の電磁誘導式検出装置を説明するための概略構成図である。図中、図２と同一の符号を付した部分は同一物を表わしているため、詳説は省略する。第２実施例では、指示具の１次元位置を検出可能な構成を示したが、第３実施例は、指示具の２次元指示位置を検出可能な構成である。図示の通り、第３実施例の電磁誘導式検出装置は、センサ部１０が、検出面のＸ軸方向に平行に配置される複数のループコイル１１Ｘと、これらに直交するようにＹ軸方向に平行に配置される複数のループコイル１１Ｙとからなる。なお、図示例では、ループコイルが各軸方向に３つ配置した例を示したが、本発明はこれに限定されず、検出面に合わせてさらに多くのループコイルを配置しても良い。また、コンデンサ１２Ｘ，１２Ｙが、これらのループコイルに並列に接続されている。各ループコイルが順次切り替えられたときに、選択されたループコイルにコンデンサが並列に接続されるように構成されれば良い。
【００３１】
そして、所定のタイミングで複数のループコイル１１Ｘ，１１Ｙを順次切り替え可能なループコイルスイッチ部１３Ｘ，１３Ｙを具備している。これらは、制御信号ＸＳＥＬ，ＹＳＥＬで制御されれば良い。
【００３２】
検出部４０は、ループコイルスイッチ部１３Ｘ，１３Ｙの切り替えタイミングとループコイル１１Ｘ，１１Ｙからの受信信号を基に、指示具１の２次元指示位置を検出する。即ち、Ｘ軸方向のあるループコイル１１Ｘがオンになったタイミングでその位置に指示具１が存在すると、指示具１の共振回路２のコイルが励振され、そのループコイル１１Ｘから誘導電圧を受信し指示具１の存在を検出できる。さらに、Ｙ軸方向のあるループコイル１１Ｙがオンになったタイミングで誘導電圧が受信されれば、Ｘ軸とＹ軸の交点に指示具１が存在することが検出できるため、指示具１の２次元座標位置が検出可能となる。
【００３３】
また、図示例の本発明の第３実施例の電磁誘導式検出装置では、Ｘ軸方向のループコイル１１ＸとＹ軸方向のループコイル１１Ｙを、それぞれ送信ループコイルと受信ループコイルを相互に切り替えながら検出する構成を示した。このように、電圧源２０の駆動をＸ軸方向のループコイル１１ＸとＹ軸方向のループコイル１１Ｙを選択的にオンオフ制御可能なように、スイッチ部３０Ｘとスイッチ部３０Ｙが設けられている。順次、Ｘ軸方向とＹ軸方向のループコイルに対して、制御信号ＴＰＸ，ＴＰＹによりスイッチ部３０Ｘ，３０Ｙを用いて電圧源２０をオンオフ制御する。また、図示例では、送信ループコイルとして動作させた後に、そのループコイルに検出部４０を接続するための検出スイッチ部１５が設けられている。
【００３４】
図４に、本発明の第３実施例の電磁誘導式検出装置の各制御信号と受信信号のタイミングチャートを示す。この例では、まずＹ軸方向のループコイル１１Ｙを送信ループコイルとして用い、ループコイルスイッチ部１３Ｙにより複数のループコイル１１Ｙを順次切り替えている。そして、電圧源２０をオンオフ制御しながらループコイル１１Ｙを所定時間駆動し、その後、電圧源２０の駆動をオフにし、検出部４０を検出スイッチ部１５により接続し、受信ループコイルとして動作させて、ループコイルからの誘導起電力を受信している。Ｙ軸方向のループコイル１１Ｙをすべて駆動完了すると、今度はＸ軸方向のループコイル１１Ｘを同様に制御し、検出部４０を検出スイッチ部１５によりループコイル１１Ｘに接続して受信信号を検出している。
【００３５】
このように動作させることで、指示具１の２次元座標位置が検出可能となる。しかしながら、本発明の第３実施例の電磁誘導式検出装置は、以下に説明するように、一方のループコイルを送信ループコイルとして動作させ、他方のループコイルを受信ループコイルとして動作させることも可能である。以下、本発明の第３実施例の電磁誘導式検出装置の他の構成について説明する。図５は、本発明の第３実施例の電磁誘導式検出装置の他の構成について説明するための概略構成図である。図中、図３と同一の符号を付した部分は同一物を表わしているため、詳説は省略する。図示例は、Ｘ軸方向のループコイル１１Ｘを受信ループコイルとして動作させ、Ｙ軸方向のループコイル１１Ｙを送信ループコイルとして動作させた例である。図６に、この場合の各制御信号と受信信号のタイミングチャートを示す。図示の通り、制御信号ＹＳＥＬによりＹ軸方向のループコイル１１Ｙを順次駆動中に、Ｘ軸方向のループコイル１１Ｘを制御信号ＸＳＥＬによりループコイルスイッチ部１３Ｘを用いて順次選択し、その際のループコイルからの誘導起電力を受信している。このように構成すると、回路構成や制御がシンプルとなる。
【００３６】
また、第３実施例の電磁誘導式検出装置では、２次元指示位置を検出可能なように、Ｘ軸方向とＹ軸方向にループコイルを配置した例を示したが、本発明はこれに限定されず、さらにこれらに直交するようにＺ方向に平行に複数のループコイルを配置する構成であっても良い。このときには、ループコイルスイッチ部を、Ｚ軸方向のループコイルも順次切り替え可能なように構成し、検出部では、これらの切り替えタイミングと受信信号を基に、指示具の３次元指示位置を検出するように構成すれば良い。
【００３７】
さらに、本発明の電磁誘導式検出装置は、スイッチ部のオン時間であるパルス幅により、送信電流を容易に制御できるものであるため、受信信号に応じて送信電流をフィードバック制御することも可能である。図７は、フィードバック機能を設けた本発明の第４実施例の電磁誘導式検出装置を説明するための概略構成図である。図中、図２等と同一の符号を付した部分は同一物を表わしているため、詳説は省略する。なお、図示例では、説明を簡単にするために、第２実施例の２次元指示位置を検出可能な構成にフィードバック機能を設けた例を示したが、本発明はこれに限定されず、第１実施例や第３実施例においても、同様にフィードバック機能を設けることが可能である。
【００３８】
図示の通り、第４実施例では、検出部４０で検出される信号の大きさに応じて、スイッチ部３０のオンオフ制御のオン時間を調整するためのフィードバック感度調整部５０を設けている。フィードバック感度調整部５０は、例えば指示具１の信号を受信するまでは感度が最大となるように、オン時間を長め、即ち、送信電流が飽和状態となる前の最大パルス幅に調整する。そして、指示具１が検出面に近づいてくると、受信信号の信号レベルが上がってくるため、これに応じて送信電流を下げるように、パルス幅を短くしていく。このように制御することで、指示具１をいち早く検出できると共に、検出後は消費電力を抑えることも可能となる。また、液晶モニタ等に本発明の電磁誘導式検出装置を組み込んだ場合には、組み込む際の画面表面から検出面までの距離に応じて、検出感度を変える必要があるが、本発明の電磁誘導式検出装置であれば、任意に感度が変えられるため、種々の液晶モニタにも対応可能である。したがって、どのような状況においても同じような検出感度で指示具を検出できるように調整することも可能となる。
【００３９】
なお、本発明の電磁誘導式検出装置は、上述の図示例にのみ限定されるものではなく、本発明の要旨を逸脱しない範囲内において種々変更を加え得ることは勿論である。
【符号の説明】
【００４０】
１    指示具
２    共振回路
３    検出面
１０    センサ部
１１    ループコイル
１２    コンデンサ
１３    ループコイルスイッチ部
１５    検出スイッチ部
２０    電圧源
３０    スイッチ部
４０    検出部
５０    フィードバック感度調整部
【図１】
2013246811.tif 000003
【図２】
2013246811.tif 000004
【図３】
2013246811.tif 000005
【図４】
2013246811.tif 000006
【図５】
2013246811.tif 000007
【図６】
2013246811.tif 000008
【図７】
2013246811.tif 000009